(57)【要約】【課題】両側展開式光照射器をあらゆる角度に調整・変換することを可能にすること。【解決手段】両側展開式光照射器５は、中央の基板５１の両側に長形パネル６１，６２が回動可能にそれぞれ設けられ、基板５１に対する展開角度をそれぞれ位置決め可能とされて照射挟角を調整できる。第１アーム３１の基端が本体に固定され、第１アーム３１の先端に第１の左右方向軸線回りに第２アーム３２の基端が回動自在に連結され、第２アーム３２の先端に第２の左右方向軸線回りに第３アーム３３の基端が回動自在に連結され、第３アーム３３の先端に第３アーム３３の長手方向に直交しかつ第１の左右方向軸線及び第２の左右方向軸線と直交する前後方向軸線回りに第４アーム３４の基端が回動自在に連結され、第４アーム３４の先端に、第３の左右方向軸線回りに回動部材４の基端が回動自在に連結され、回動部材４の先端に両側展開式光照射器５の基板５１が連結されている。【選択図】図２
0003133297.tif 000002
【実用新案登録請求の範囲】
【請求項１】
上下方向に沿って配置されると共に、内部に回路設備が配備され、上面に制御パネルが設けられた本体と、前記本体の上部に一端を固定された前記方向自在アームと、前記方向自在アームの他端に接続された回動部材と、前記回動部材に接続された両側展開式光照射器とを含み、
前記両側展開式光照射器は、その中央部に配置された基板の両側に長形パネルが回動可能にそれぞれ設けられ、前記両側の長形パネルの下面にＬＥＤパネルが設置され、前記両側の長形パネルが前記基板に対する展開角度をそれぞれ固定ネジで位置決め可能とされて前記ＬＥＤパネルによる照射挟角を調整できるものであり、
前記方向自在アームは、第１アーム、第２アーム、第３アーム及び第４アームを相互に枢設して組み立てられてなり、
前記第１アームは、長手方向を上下方向に沿って配設されると共に、該第１アームの基端が前記本体の上部に固定され、前記第１アームの先端に、該第１アームの長手方向に直交する第１の左右方向軸線回りに前記第２アームの基端が回動自在に連結され、
前記第２アームの先端に、該第２アームの長手方向に直交する第２の左右方向軸線回りに前記第３アームの基端が回動自在に連結され、
前記第３アームの先端に、前記第３アームの長手方向に直交しかつ前記第１の左右方向軸線及び前記第２の左右方向軸線と直交する前後方向軸線回りに前記第４アームの基端が回動自在に連結され、
前記第４アームの先端に、該第４アームの長手方向に直交する第３の左右方向軸線回りに前記回動部材の基端が回動自在に連結され、
前記回動部材の先端に前記両側展開式光照射器の前記基板が連結されている
ことを特徴とする方向自在光線療法用具。
【請求項２】
前記本体の下端に、前後斜め方向にそれぞれ延伸され一組の脚部が設けられ、前記一組の脚部は前方脚部及び後方脚部で構成され、前記前方脚部が後方脚部より長く、かつ前記前方脚部の開放幅は前記後方脚部の開放幅よりも幅広に形成されていることを特徴とする請求項１に記載の方向自在光線療法用具。
【請求項３】
側面視がＴ字形を呈するコード掛けが、前記本体の一側の上下に設置され、電源コードを使用しないとき本体側面に収容することができることを特徴とする請求項１に記載の方向自在光線療法用具。
【請求項４】
前記両側展開式光照射器の前記基板の上面に挿入軸が突設され、該挿入軸が前記回動部材の先端に軸方向に差し込まれ、前記両側展開式光照射器が前記回動部材の軸方向に直交する平面内で３６０度回動可能に連結されていることを特徴とする請求項１に記載の方向自在光線療法用具。
【請求項５】
前記回動部材はその側部に位置決め部が設けられ、前記挿入軸はその軸体周面に環状に配列された複数の凹部が形成され、前記複数の凹部の高さ位置と前記回動部材の位置決め部とが相互に対応することにより、前記両側展開式光照射器は、前記回動部材の軸方向に直交する平面内での回動位置が位置決めされることを特徴とする請求項４に記載の方向自在光線療法用具。
【請求項６】
前記位置決め部が、ネジ、バネ及び位置決めボールから構成されていることを特徴とする請求項５に記載の方向自在光線療法用具。
【請求項７】
前記両側展開式光照射器の前記ＬＥＤパネルに配備されている複数のＬＥＤは、同色または異なる色の光線を発射するものであることを特徴とする請求項１に記載の方向自在光線療法用具。
【請求項８】
前記本体の前面に透明パネルが設けられ、前記透明パネルの下端部裏面にＬＥＤ列が設けられたことを特徴とする請求項１に記載の方向自在光線療法用具。
【考案の詳細な説明】
【技術分野】
【０００１】
本考案は、被治療者の身体状況、姿勢、部位に基づいて位置を定めて照射し、光線療法の効果を向上する方向自在光線療法用具に関する。
【背景技術】
【０００２】
皮膚は体温と血圧を調整する機能を持っている。一方、人体の老化に伴って皮膚は下垂、むくみ、皺などが発生するため、美を追求する者にとって皮膚の衰えは、非常に困った問題である。皮膚を改善するため、医学界ではすでに紫外線、可視光線、赤外線、無線電波等を皮膚の医療用途に応用しており、これらは俗に「光線療法」と呼ばれている。
【０００３】
さらに、発光ダイオードを発射光源として使用する光線療法装置もまた続々と開発されている。例えば、台湾公告Ｍ２８７６８４号「両用光線療法装置」特許案（特許文献１）では、予め定めた波長を発射して皮膚に照射するものである。台湾公告Ｍ２８６６８４号「光線療法美肌器」特許案（特許文献２）は、ＬＥＤ発光モジュールとブザーを組み合わせたものである。台湾公告Ｍ２８６０５０号「光線療法照射器」特許案（特許文献３）は、光線療法ランプを接続したマスクを提供するものである。台湾公告Ｍ２８６０４９号「光線療法装置」特許案（特許文献４）は主に２種類以上の異なる波長の発光ダイオードを互い違いに配列し照射を行うものである。そして、台湾公告Ｍ２８４３８７号「パルス式光線療法装置」特許案（特許文献５）は主に赤色光と青色光を発射できるＬＥＤランプを使用し、光線点滅調整装置を設けたものである。
【０００４】
【特許文献１】台湾公告Ｍ２８７６８４号「両用光線療法装置」特許案
【特許文献２】台湾公告Ｍ２８６６８４号「光線療法美肌器」特許案
【特許文献３】台湾公告Ｍ２８６０５０号「光線療法照射器」特許案
【特許文献４】台湾公告Ｍ２８６０４９号「光線療法装置」特許案
【特許文献５】台湾公告Ｍ２８４３８７号「パルス式光線療法装置」特許案
【考案の開示】
【考案が解決しようとする課題】
【０００５】
光線療法の照射は一定の時間と治療過程が必要であり、安定性が高く、かつさまざまな角度に調整変換できる機構を備えていることが必須である。しかしながら、上述の各特許文献に開示されている装置はすべてユニット式であるため、このニーズを満たすことができない。
【０００６】
そこで、本考案はこれに鑑みてなされたもので、その目的は、開閉角度、照射範囲を調整できる両側展開式光照射器を設け、両側展開式光照射器に接続して、両側展開式光照射器をあらゆる角度に調整・変換することを可能にする方向自在アームを設けた方向自在光線療法用具を提供することにある。
【課題を解決するための手段】
【０００７】
請求項１に係る方向自在光線療法用具は、上記課題を解決するために、上下方向に沿って配置されると共に、内部に回路設備が配備され、上面に制御パネルが設けられた本体と、前記本体の上部に一端を固定された前記方向自在アームと、前記方向自在アームの他端に接続された回動部材と、前記回動部材に接続された両側展開式光照射器とを含み、前記両側展開式光照射器は、その中央部に配置された基板の両側に長形パネルが回動可能にそれぞれ設けられ、前記両側の長形パネルの下面にＬＥＤパネルが設置され、前記両側の長形パネルが前記基板に対する展開角度をそれぞれ固定ネジで位置決め可能とされて前記ＬＥＤパネルによる照射挟角を調整できるものであり、前記方向自在アームは、第１アーム、第２アーム、第３アーム及び第４アームを相互に枢設して組み立てられてなり、前記第１アームは、長手方向を上下方向に沿って配設されると共に、該第１アームの基端が前記本体の上部に固定され、前記第１アームの先端に、該第１アームの長手方向に直交する第１の左右方向軸線回りに前記第２アームの基端が回動自在に連結され、前記第２アームの先端に、該第２アームの長手方向に直交する第２の左右方向軸線回りに前記第３アームの基端が回動自在に連結され、前記第３アームの先端に、前記第３アームの長手方向に直交しかつ前記第１の左右方向軸線及び前記第２の左右方向軸線と直交する前後方向軸線回りに前記第４アームの基端が回動自在に連結され、前記第４アームの先端に、該第４アームの長手方向に直交する第３の左右方向軸線回りに前記回動部材の基端が回動自在に連結され、前記回動部材の先端に前記両側展開式光照射器の前記基板が連結されていることを特徴とする。
【０００８】
請求項２に係る方向自在光線療法用具は、請求項１に係る方向自在光線療法用具において、前記本体の下端に、前後斜め方向にそれぞれ延伸され一組の脚部が設けられ、前記一組の脚部は前方脚部及び後方脚部で構成され、前記前方脚部が後方脚部より長く、かつ前記前方脚部の開放幅は前記後方脚部の開放幅よりも幅広に形成されていることを特徴とするものである。
【０００９】
請求項３に係る方向自在光線療法用具は、請求項１に係る方向自在光線療法用具において、側面視がＴ字形を呈するコード掛けが、前記本体の一側の上下に設置され、電源コードを使用しないとき本体側面に収容することができることを特徴とするものである。
【００１０】
請求項４に係る方向自在光線療法用具は、請求項１に係る方向自在光線療法用具において、前記両側展開式光照射器の前記基板の上面に挿入軸が突設され、該挿入軸が前記回動部材の先端に軸方向に差し込まれ、前記両側展開式光照射器が前記回動部材の軸方向に直交する平面内で３６０度回動可能に連結されていることを特徴とするものである。
【００１１】
請求項５に係る方向自在光線療法用具は、請求項４に係る方向自在光線療法用具において、前記回動部材はその側部に位置決め部が設けられ、前記挿入軸はその軸体周面に環状に配列された複数の凹部が形成され、前記複数の凹部の高さ位置と前記回動部材の位置決め部とが相互に対応することにより、前記両側展開式光照射器は、前記回動部材の軸方向に直交する平面内での回動位置が位置決めされることを特徴とするものである。また、請求項６に係る方向自在光線療法用具は、請求項５に係る方向自在光線療法用具において、前記位置決め部が、ネジ、バネ及び位置決めボールから構成されていることを特徴とするものである。
【考案の効果】
【００１２】
請求項１に係る方向自在光線療法用具によれば、方向自在アームを構成している第１アーム乃至第４アームの回動位置を相互に調整することで、回動部材の先端に連結されている両側展開式光照射器の本体に対する高低位置、前後位置及び上下位置の位置決めをすることができ、両側展開式光照射器は、回動部材の第４アームの先端に対する回動位置により上下の向きを調整でき、基板に対する長形パネルの展開角度を調整することにより照射挟角を調整できる。したがって、両側展開式光照射器を随時あらゆる角度に調整・変換することができる。
【００１３】
請求項２に係る方向自在光線療法用具によれば、両側展開式光照射器を方向自在アームを介して前方に延伸して照射を行うことができ、両側展開式光照射器を前方に延伸して使用する場合に、本体の下端に設けられた脚部の前方脚部が前方向に延伸されているため、安定したサポートを提供し、使用上の安全を確保することができる。
【００１４】
請求項３に係る方向自在光線療法用具によれば、用具を使用しないときに、電源コードを本体側面に収納することができるから、電源コードの収納が不適切なために発生する危険を回避することができる。
【００１５】
請求項４及び請求項５に係る方向自在光線療法用具によれば、両側展開式光照射器が回動部材の軸方向に直交する平面内で３６０度回動可能に連結されているので、随時使用者の姿勢や位置に対応してその照射面を調整することができる。
【考案を実施するための最良の形態】
【００１６】
以下、本考案の実施の形態を図面に基いて詳細に説明する。図１は、本考案の実施形態に係る方向自在光線療法用具を示す斜視図である。また、図７は、方向自在光線療法用具の使用状態を示す側面図である。図１に示すように、実施形態の方向自在光線療法用具は、概略として、本体１、一組の脚部２、一組の方向自在アーム３、回動部材４及び両側展開式光照射器５を含んでなる。
【００１７】
図１に示すように、本体１は、上下方向に長い直方体形状をなし、本体１の内部に回路設備(図示せず)が配備され、本体１の前方に透明パネル１１が設けられ、透明パネル１１の下端部の裏面にＬＥＤ列１２が設けられ、ＬＥＤ列１２が通電されて発光すると、光線が透明パネル１１を透過し、透明パネル１１に表面に刻まれた文字がよりはっきりと目に映り、全体の価値が向上される（図２参照）。
【００１８】
本体１の一側面には、上下に相対すると共に側面視がＴ字形を呈するコード掛け１３１、１３２が設けられ、方向自在光線療法用具を使用しないときには、電源コード１４をこれらコード掛け１３１、１３２に巻きつけて本体の一側に収容し、非使用時に電源コードの収納が不適切なために発生する危険を回避することができる（図２参照）。
【００１９】
本体１の上面は前端から後端に向け下方に傾斜する（人体工学に符号する）斜面１５に形成され（図７参照）、斜面１５上に制御パネルとしてのタッチ制御式操作インターフェース１６が設けられている（図１参照）。本体１の下端には前後斜め方向に開いた一組の脚部２が設けられている。一組の脚部２は、前方脚部２１及び後方脚部２２よりなり、前方脚部２１は後方脚部２２よりも長く、かつ前方脚部２１の開放幅は後方脚部２２の開放幅よりも幅広に形成されている（図１参照）。
【００２０】
図２は、主として方向自在光線療法用具における方向自在アーム３の回動方向を示す斜視図である。方向自在アーム３は、図２及び図７に示すように、第１アーム３１、第２アーム３２、第３アーム３３及び第４アーム３４を相互に枢設して組み立てられてなる。
【００２１】
第１アーム３１は、長手方向を上下方向に沿って配設され、第１アーム３１の基端は本体１の上端に固定されている。第１アーム３１の先端には、図２及び図７に示すように、第１アーム３１の長手方向に直交する左右方向の軸線（第１の左右方向軸線という）回りに第２アーム３２の基端が回動自在に連結されている。このために、第１アーム３１の先端において、第１の左右方向軸線回りに、第２アーム３２を前方に向けて倒伏するように回動すると第２アーム３２の先端が下方に移動される一方、第２アーム３２を後方に向けて起立させるように回動すると第２アーム３２の先端が上方に移動される。このように、第２アーム３２は、第１アーム３１の先端において、前方下方及び後方上方に角度を調整することができる。
【００２２】
第２アーム３２の先端には、図２及び図７に示すように、第２アーム３２の長手方向に直交する左右方向の軸線（第２の左右方向軸線という、また、第１の左右方向軸線と平行する）回りに第３アーム３３の基端が回動自在に連結されている。このために、第２アーム３２の先端において、第２の左右方向軸線回りに、第３アーム３３を前方に向けて倒伏するように回動すると第３アーム３３の先端が下方に移動される一方、第３アーム３３を後方に向けて起立させるように回動すると第３アーム３３の先端が上方に移動される（図２及び図７参照）。このように、第３アーム３３は、第２アーム３２の先端において、前方下方及び後方上方に角度を調整することができる。
【００２３】
第３アーム３３の先端には、図２及び図７に示すように、第３アーム３３の長手方向に直交し、かつ第３アーム３３の左右方向に直交する前後方向の軸線（前後方向軸線という、また、第１の左右方向軸線及び第２の左右方向軸線と直交する）回りに第４アーム３４の基端が回動自在に連結されている。このために、第３アーム３３の先端において、前後方向軸線回りに、第４アーム３４を左方又は右方に向けて倒伏するように回動すると第４アーム３４の先端が下方（又は後方）に移動される一方、第４アーム３４を中央方向に向けて起立させるように回動すると第４アーム３４の先端が上方（又は前方）に移動される（図１及び図７参照）。このように、第４アーム３４は、第３アーム３３の先端において、第３アーム３３の左右方向に角度を調整することができる。
【００２４】
図３は、主として方向自在アーム３と両側展開式光照射器５との接続部分を分解して示す斜視図である。図３に示すように、第４アーム３４の先端には、軸方向枢設部３４１が設けられ、第４アーム３４の長手方向に直交する左右方向の軸線（第３の左右方向軸線という、また、第１及び第２の左右方向軸線と平行する）回りに回動部材４の基端が回動自在に連結されている。
【００２５】
図３に示すように、回動部材４は、基端に形成されたその軸方向枢設部４１が第４アーム３４の軸方向枢設部３４１と相互に接続され、かつ固定ネジ４２で第４アーム３４との相対位置を調整してその長手方向の回動角度位置を調整することができる。このため、第４アーム３４の先端において、第３の左右方向軸線回りに、回動部材４を前方に向けて倒伏するように回動すると回動部材４の先端が下方に移動される一方、回動部材４を後方に向けて起立させるように回動すると回動部材４の先端が上方に移動される（図２及び図７参照）。このように、回動部材４は、第４アーム３４の先端において、前方下方及び後方上方に角度を調整することができる。回動部材４の本体側部には少なくとも１つの収容孔４３が設けられ、ネジ、バネ及び位置決めボールからなる位置決め部４４を収容孔４３に収容することができる。
【００２６】
図３及び図４に示すように、回動部材４の下端に両側展開式光照射器５が接続される。両側展開式光照射器５は、左右側方に向けて相対開閉が可能な構造を呈し、中央部分に基板５１が設けられ、基板５１の上面（背面）に挿入軸５２が突設され、該挿入軸５２が回動部材４の先端面に軸方向に一致して設けられた軸孔（図３参照）に差し込まれ、両側展開式光照射器５と回動部材４が一体として連結される。
【００２７】
挿入軸５２の軸体周面には環状に配列された複数の凹部５３が形成され（図３参照）、凹部５３の高さ位置と回動部材４の位置決め部４４が相対するため、両側展開式光照射器５を簡単に回動部材４の軸方向に直交する平面内で３６０度回転させて位置決めすることができる（図４参照）。
【００２８】
図５及び図６に示すように、両側展開式光照射器５の基板５１の両側には、両側方に向かい展開可能な長形パネル６１、６２がそれぞれ回動自在に枢設され、これら長形パネル６１、６２と基板５１との間は固定ネジ６３できつさを調整可能とされ、両側展開式光照射器５の照射挟角角度を調整することができる(図６参照)。
【００２９】
図５に示すように、長形パネル６１、６２と基板５１の接続位置の下面両側にねじりコイルバネ６４がそれぞれ設けられ、これらねじりコイルバネ６４は、長形パネル６１、６２に外側に向かって開く付勢力を与え、固定ネジ６３がきつく締められていないときに、長形パネル６１、６２が不測に下方に向けて閉じることによって使用者がケガをしないようにするものである。長形パネル６１、６２の下面には一組のＬＥＤパネル６５がそれぞれ設置され、ＬＥＤパネル６５の表面には複数の矩形に配列されたＬＥＤが配設され、同色または異なる色の光を発射することができる。また、ＬＥＤパネル６５の下方にはさらに光透過性ガラス６６が設置される。
【００３０】
本考案の方向自在光線療法用具は、方向自在アーム３により高さ調整、前後上下角度調整、および横方向水平角度位置調整等、さまざまな角度と方向に調整しての位置決めが可能であり、両側展開式光照射器５に自在な調整姿勢を提供し、使用者が仰向けになっていても、座っていても、伏せていても、寄りかかっていても、近距離からの照射を行うことができる。
【００３１】
図７に方向自在アーム３を利用し、両側展開式光照射器５を高い位置に調整した状態を示す。また、図８に示すように、ベッド７１上に横になった使用者に対しては、前方脚部２１が前方向に延伸されているため、両側展開式光照射器５を前方向に延伸したときにも安定したサポートを提供して固定し、かつ照射の角度と範囲を調整し、光線照射を集中させることができる。
【００３２】
図９に示すように、椅子７２に座った使用者に対しては、方向自在アーム３により簡単に両側展開式光照射器５を適切な高さと角度に調整することができる。
【００３３】
上述の説明から理解されるように、本考案の方向自在光線療法用具は、方向自在アーム３、回動部材４、両側展開式光照射器５等を連動させて組み合わせることで、使用者の高低位置を問わず、使用者が仰向けになっていても、座っていても、伏せていても、寄りかかっていても、使用者の身体状況に基づき最適な照射治療を行うことができる。
【図面の簡単な説明】
【００３４】
【図１】本考案の実施形態に係る方向自在光線療法用具の斜視図である。
【図２】方向自在光線療法用具における方向自在アームの回動方向を示す斜視図である。
【図３】主として方向自在アームと両側展開式光照射器との接続部分を分解して示す斜視図である。
【図４】両側展開式光照射器の回動状態を示す斜視図である。
【図５】両側展開式光照射器の分解斜視図である。
【図６】両側展開式光照射器の展開位置における挟角調整を示す立体図である。
【図７】方向自在光線療法用具の使用状態を示す側面図である。
【図８】方向自在光線療法用具の別の使用状態を示す正面図である。
【図９】方向自在光線療法用具のさらに別の使用状態を示す側面図である。
【符号の説明】
【００３５】
１  本体
２  脚部
３  方向自在アーム
４  回動部材
５  両側展開式光照射器
１１  透明パネル
１２  ＬＥＤ列
１３１  コード掛け
１３２  コード掛け
１４  電源コード
１５  斜面
１６  タッチ制御式操作インターフェース
２１  前方脚部
２２  後方脚部
３１  第１アーム
３２  第２アーム
３３  第３アーム
３４  第４アーム
３４１  軸方向枢設部
４１  軸方向枢設部
４２  固定ネジ
４３  収容孔
４４  位置決め部
５１  基板
５２  挿入軸
５３  凹部
６１  長形パネル
６２  長形パネル
６３  固定ネジ
６４  ねじりコイルバネ
６５  ＬＥＤパネル
６６  光透過性ガラス
７１  ベッド
７２  椅子
【図１】
0003133297.tif 000003
【図２】
0003133297.tif 000004
【図３】
0003133297.tif 000005
【図４】
0003133297.tif 000006
【図５】
0003133297.tif 000007
【図６】
0003133297.tif 000008
【図７】
0003133297.tif 000009
【図８】
0003133297.tif 000010
【図９】
0003133297.tif 000011